Podtech/llm-jp-corpus-v4-ja_patent huggingface dataset:
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
ホイールハブ・等速ジョイントユニットであって、ホイールハブ（６０，９０）が、貫通開口（５９，８９）を備えており、該貫通開口（５９，８９）が、内側の軸歯列（４４，７４）を有しており、ホイールハブ（６０，９０）が、固定式等速ジョイント（４２，７２）のジョイント外側部材（４６，７６）に緊締されており、該ジョイント外側部材（４６，７６）に、外側の軸歯列（５４，８４）を備えたピン（５３，８３）が一体成形されており、貫通開口（５９，８９）の内側の軸歯列（４４，７４）と、ピン（５３，８３）の外側の軸歯列（５４，８４）とが内外で係合しており、二列のホイール軸受け（４３，７３）が、ホイールハブ（６０，９０）に被せ嵌められており、該ホイールハブ（６０，９０）が、内側の軸受けレース（６４，９４）を有しており、該軸受けレース（６４，９４）に、ジョイント外側部材（４６，７６）の端面（５２，８２）が直接支持されている形式のものにおいて、
ジョイントボールのピッチ円直径ＰＣＤと、軸受け幅ＢＬとから求められる総和の半分が、等速ジョイント（４２，７２）とホイール軸受け（４３，７３）との間の中間間隔ＡＧＬよりも大きい、すなわち、（ＰＣＤ＋ＢＬ）／２＞ＡＧＬであることを特徴とする、ホイールハブ・等速ジョイントユニット。
【請求項２】
ホイールハブ・等速ジョイントユニットであって、ホイールハブ（６０，９０）が、貫通開口（５９，８９）を備えており、該貫通開口（５９，８９）が、内側の軸歯列（４４，７４）を有しており、ホイールハブ（６０，９０）が、固定式等速ジョイント（４２，７２）のジョイント外側部材（４６，７６）に緊締されており、該ジョイント外側部材（４６，７６）に、外側の軸歯列（５４，８４）を備えたピン（５３，８３）が一体成形されており、貫通開口（５９，８９）の内側の軸歯列（４４，７４）と、ピン（５３，８３）の外側の軸歯列（５４，８４）とが内外で係合しており、二列のホイール軸受け（４３，７３）が、ホイールハブ（６０，９０）に被せ嵌められており、該ホイールハブ（６０，９０）が、内側の軸受けレース（６４，９４）を有しており、該軸受けレース（６４，９４）に、ジョイント外側部材（４６，７６）の端面（５２，８２）が直接支持されている形式のものにおいて、
等速ジョイント（４２，７２）とホイール軸受け（４３，７３）との間の中間間隔ＡＧＬと、ピンベースにおけるピン直径ＤＺとから求められる比が、２よりも小さい、すなわち、ＡＧＬ／ＤＺ＜２であることを特徴とする、ホイールハブ・等速ジョイントユニット。
【請求項３】
ホイールハブ・等速ジョイントユニットであって、ホイールハブ（６０，９０）が、貫通開口（５９，８９）を備えており、該貫通開口（５９，８９）が、内側の軸歯列（４４，７４）を有しており、ホイールハブ（６０，９０）が、固定式等速ジョイント（４２，７２）のジョイント外側部材（４６，７６）に緊締されており、該ジョイント外側部材（４６，７６）に、外側の軸歯列（５４，８４）を備えたピン（５３，８３）が一体成形されており、貫通開口（５９，８９）の内側の軸歯列（４４，７４）と、ピン（５３，８３）の外側の軸歯列（５４，８４）とが内外で係合しており、二列のホイール軸受け（４３，７３）が、ホイールハブ（６０，９０）に被せ嵌められており、該ホイールハブ（６０，９０）が、内側の軸受けレース（６４，９４）を有しており、該軸受けレース（６４，９４）に、ジョイント外側部材（４６，７６）の端面（５２，８２）が直接支持されている形式のものにおいて、
ホイール軸受けのピッチ円直径ＴＫＤと、ピン長さＬＺとから求められる比が、２よりも大きい、すなわち、ＴＫＤ／ＬＺ＞２であることを特徴とする、ホイールハブ・等速ジョイントユニット。
【請求項４】
ホイールハブ・等速ジョイントユニットであって、ホイールハブ（６０，９０）が、貫通開口（５９，８９）を備えており、該貫通開口（５９，８９）が、内側の軸歯列（４４，７４）を有しており、ホイールハブ（６０，９０）が、固定式等速ジョイント（４２，７２）のジョイント外側部材（４６，７６）に緊締されており、該ジョイント外側部材（４６，７６）に、外側の軸歯列（５４，８４）を備えたピン（５３，８３）が一体成形されており、貫通開口（５９，８９）の内側の軸歯列（４４，７４）と、ピン（５３，８３）の外側の軸歯列（５４，８４）とが内外で係合しており、二列のホイール軸受け（４３，７３）が、ホイールハブ（６０，９０）に被せ嵌められており、該ホイールハブ（６０，９０）が、内側の軸受けレース（６４，９４）を有しており、該軸受けレース（６４，９４）に、ジョイント外側部材（４６，７６）の端面（５２，８２）が直接支持されている形式のものにおいて、
等速ジョイント（４２，７２）とホイール軸受け（４３，７３）との間の中間間隔ＡＧＬと、ピン長さＬＺとから求められる比が、１．９５よりも大きい、すなわち、ＡＧＬ／ＬＺ＞１．９５であることを特徴とする、ホイールハブ・等速ジョイントユニット。
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
押し出し可能樹脂性の熱可塑性架橋可能材料の熱可塑化流を押し出しオリフィスを介して流すことによって押し出し製品を準備する方式における方法で、押し出し可能材料の表面部分の架橋特性を変える押し出し工程の前に、変更された架橋添加剤を押し出し可能樹脂性の熱可塑性架橋可能材料流の表面部分へ導入する工程を含む方法において、該方法は、次の工程、すなわち、
前記押し出し工程後に、前記変更された架橋添加剤を与えられた押し出し製品の表面部分の架橋を紫外線照射によって開始する工程を含むことを特徴とする方法。
【請求項２】
請求項１に記載の方法において、該方法は、さらに、前記変更された架橋添加剤を前記押し出し可能樹脂性の熱可塑性架橋材料流の表面部分へ導入する前に実行する次の工程、すなわち、
−  少なくとも被架橋成分および／または架橋開始剤を含む前記変更された架橋添加剤を均質化する工程を含むことを特徴とする方法。
【請求項３】
請求項１または２に記載の方法において、該方法は、架橋開始剤を、過酸化物、シラン、および光開始剤から成るグループから選択することを特徴とする方法。
【請求項４】
請求項１ないし３のいずれかに記載の方法において該方法は、また、他の機能性成分を、均質化すべき前記変更された架橋添加剤に対して加えて、前記押し出し可能樹脂性の熱可塑性架橋材料流の表層を形成する材料の特性を変えることを特徴とする方法。
【請求項５】
請求項１ないし４のいずれかに記載の方法において、該方法は、さらに、前記添加剤および前記添加剤の量を選択する工程を含むことを特徴とする方法。
【請求項６】
請求項１ないし５のいずれかに記載の方法において、該方法は、さらに、前記押し出し製品の表層の架橋開始後に実行する次の工程、すなわち、
−  前記押し出し製品の表層または該製品全体の架橋を、所定の温度を用いて熱架橋によって所定の時間継続して、前記押し出し製品の表層および／または該製品全体に所望の架橋構造を形成する工程を含むことを特徴とする方法。
【請求項７】
請求項１に記載の方法において、該方法は、前記押し出し工程前に、前記された架橋添加剤を、前記押し出し可能樹脂性の熱可塑性架橋材料流の表面部分へ導入する工程が、
−  前記押し出し可能樹脂性の熱可塑性架橋可能材料流を物理的に分離して、中核の流れと、該核の流れの外側の少なくとも１つの境界の流れとにする工程と、
−  前記核および境界の流れの物理的分離を維持している間に前記変更された架橋添加剤を前記境界の流れへ選択的に導入する工程と、その後に、
−  前記材料を前記押し出しオリフィスから吐き出す前に、それらの流れを合流させて、前記境界の流れを、変更された架橋特性を有する比較的薄い表層として、前記核層と前記押し出しオリフィスの表面との間に適用する工程とを含むことを特徴とする方法。
【請求項８】
押し出し製品を準備する押し出し方式において、押し出し可能樹脂性の熱可塑性架橋可能材料の熱可塑化流を押し出しオリフィスを介して流すように配設される方式が、次の工程、すなわち、
−  熱可塑化した押し出し可能樹脂性の熱可塑性架橋可能材料の供給源を提供する工程と、
−  前記材料を第１の流路に沿って前記押し出しオリフィスへ進める工程と、
−  前記押し出し可能材料の表面部分の架橋特性を変える押し出し工程の前に、１つ以上の変更された架橋添加剤を、前記材料流の表面部分へ導入する工程とを含む押し出し方式において、該方式は、前記変更された架橋添加剤が与えられた押し出し製品の表面部分の架橋を、前記押し出し工程後に紫外線照射によって開始する工程によることを特徴とする押し出し方式。
【請求項９】
請求項８に記載の押し出し方式において、該方式は、前記押し出し製品の表面部分の紫外線照射で完成した架橋によることを特徴とする押し出し方式。
【請求項１０】
請求項８または９に記載の押し出し方式において、該方式はさらに、
−  前記材料の一部を第１の流路から第２の流路へ転向させて、前記変更された架橋添加剤をその転向流へ導入する工程と、
−  前記変更された架橋材料を前記押し出しオリフィスの中へ通す前に、第１の流路を流れる樹脂の表面に対して比較的薄い層として前記材料を適用する工程によることを特徴とする押し出し方式。
【請求項１１】
請求項８ないし10のいずれかに記載の押し出し方式において、該方式はさらに、
−  少なくとも１つの被架橋成分および／または架橋開始剤を含む前記変更された架橋添加剤を、それを前記材料流の表面部分へ導入する前に、均質化する工程によることを特徴とする押し出し方式。
【請求項１２】
請求項８ないし11のいずれかに記載の押し出し方式において、該方式はさらに、前記押し出し製品の表面部分または該製品全体の架橋を熱架橋によって継続する工程によることを特徴とする押し出し方式。
【請求項１３】
押し出し可能樹脂性の熱可塑性架橋可能材料の熱可塑化流を押し出しオリフィスを介して流すことによって押し出し製品を準備する装置で、前記押し出しオリフィスの上流に、変更された架橋添加剤を前記押し出し可能樹脂性の熱可塑性架橋材料可能流の表面部分へ導入して、押し出し可能材料の表面部分の架橋特性を変える導入手段を含む装置において、該装置は、前記押し出し製品の表層の架橋を開始する紫外線照射源を、前記押し出しオリフィスの下流に含むことを特徴とする装置。
【請求項１４】
請求項13に記載の装置において、前記紫外線照射源は、前記押し出し製品の表層の架橋を紫外線照射で完成させるように配設されることを特徴とする装置。
【請求項１５】
請求項13または14に記載の装置において、該装置はさらに、前記変更された架橋添加剤を前記押し出し可能樹脂性の熱可塑性材料流の表面部分へ導入する前に、それを均質化する均質化手段を含むことを特徴とする装置。
【請求項１６】
請求項13ないし15のいずれかに記載の装置において、該装置はさらに、前記押し出し製品の表層または該製品全体の架橋を、前記開始手段による架橋の開始後に、継続する熱架橋手段を含むことを特徴とする装置。
【請求項１７】
請求項13ないし16のいずれかに記載の装置において、該装置はさらに、前記の流を物理的に分離して、中核の流れと該核の流れの外側の少なくとも１つの境界の流れとにする第１の手段を含み、前記導入手段は、前記核および境界の流れの物理的分離を維持している間に、前記変更された架橋添加剤を前記境界の流れへ導入するように配設され、該装置はさらに、前記材料を前記押し出しオリフィスから吐き出す前に、それらの流れを再合流する第３の手段を含み、前記境界の流れが変更された架橋特性を有する比較的薄い表層として核層と押し出しオリフィスとの間に適用されることを特徴とする装置。
【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
塩素化チタン化合物を含む液体から出発してＴｉＯ２粉末を製造する方法であって、当該方法は、
ａ）前記液体を霧状にし、当該霧状化液体を蒸気及び空気の流れと１００〜２５０℃の温度で反応させ、前記塩素化チタン化合物を二酸化チタン（ＴｉＯ２）粉末に変換させること；
ｂ）次いで、工程ａ）から得た気相及び同伴ＴｉＯ２粉末を４００〜９００℃の範囲内の温度で操作されているオーブン中に供給し、残留有機化合物及び塩酸を前記粉末から除去すること
の各工程を含む、前記ＴｉＯ２粉末の製造方法。
【請求項２】
前記塩素化チタン化合物が四塩化チタン及びトリクロロエトキシチタンである、請求項１に記載の方法。
【請求項３】
工程ａ）において反応物間の接触時間が１秒未満である、請求項１に記載の方法。
【請求項４】
工程ａ）における前記液体の霧状化を、塩素化チタン化合物を含む前記液体に対して前記蒸気／空気流を急速で衝突させることにより達成する、請求項１に記載の方法。
【請求項５】
前記液体の速度が１０〜２００ｍ／秒の範囲である、請求項４に記載の方法。
【請求項６】
前記蒸気＋空気の速度が４０〜２００ｍ／秒の範囲である、請求項４に記載の方法。
【請求項７】
前記霧状化を、前記塩素化チタン化合物を含む液体流用中央パイプと蒸気＋空気流用外部環状パイプを備えたエゼクター内で行う、請求項４に記載の方法。
【請求項８】
工程ｂ）のオーブンが回転炉または攪拌機を備えた固定オーブンである、請求項１に記載の方法。
【請求項９】
前記オーブンから排出される前記気相を、スクラバー内部の水により洗浄し、当該気相からＨＣｌを除去する請求項１に記載の方法。
【請求項１０】
工程ｂ）から排出される粉末が、９７重量％よりも高い率のＴｉＯ２を含む、請求項１に記載の方法。
【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
複数のパッケージを保管及び払い出すための装置であって、
保管及び把持デバイスでアクセス可能な複数の棚を含む第１の領域と、
各々が独立した排出手段を有する、各々が複数のパッケージを受け取るための複数の経路を含む第２の領域とを備え、
前記保管及び把持デバイスが、前記第２の領域の前記経路を満たすように構成され、
前記装置が、前記第２の領域と関連する、前記第２の領域から排出されたパッケージを移動させるための搬送手段をさらに備えることを特徴とする装置。
【請求項２】
前記第２の領域の経路領域から排出され、前記搬送手段のコンベヤーによって移動されたパッケージを、所定の上昇高さまで持上げるためのリフト手段を備えることを特徴とする請求項１に記載の装置。
【請求項３】
前記リフト手段は、前記経路領域に近接して配置され、前記経路から排出されたパッケージが、前記搬送手段によって前記リフト手段に搬送されるように構成されることを特徴とする請求項２に記載の装置。
【請求項４】
前記リフト手段は、前記パッケージを複数の最終搬送機構の１つに移送するように構成されることを特徴とする請求項２若しくは３に記載の装置。
【請求項５】
前記第１の領域から払い出されたパッケージが移送される第１の経路及び前記第２の領域から払い出されたパッケージが移送される第２の経路は、その使用時において、少なくとも一部が共通するように構成されることを特徴とする請求項１乃至４のいずれかに記載の装置。
【請求項６】
前記第１の領域及び前記第２の領域の両者から、最終搬送地点までパッケージを搬送するための共通の搬送手段を備えることを特徴とする請求項５に記載の装置。
【請求項７】
１つ又は複数の別体の追加の経路領域を備え、前記追加経路領域は、前記保管及び取り出しデバイスによって満たされるように構成され、１つ又は複数の前記追加経路領域が、手動で満たされるように構成されることを特徴とする請求項１乃至６のいずれかに記載の装置。
【請求項８】
前記全ての経路領域に対応するような共通のリフト手段を備えることを特徴とする請求項７に記載の装置。
【請求項９】
前記各経路に備えられた前記排出手段は、前記経路の最前部に受け取られたパッケージを、前記経路の前方から傾けて落とす又は放出するようにしながら、前記経路に受け取られた他のパッケージは放出されないようにし、
その後、新たなパッケージが前記経路の最前部に受け取られるように、残りのパッケージが前記経路を滑り降りるように構成されることを特徴とする請求項１乃至８のいずれかに記載の装置。
【請求項１０】
前記排出手段が、パッケージを受け取る第１の位置から、前記パッケージを排出する第２の位置までピボットするように構成されたピボット部材を備え、
前記ピボット部材は、前記第２の位置において、さらに追加のパッケージを受け取るのを阻止するように構成されることを特徴とする請求項１乃至９のいずれかに記載の装置。
【請求項１１】
前記各経路に備えられた前記排出手段は、所定の保持力を制して前記各経路最前部のパッケージを排出するようにするため、前記各経路内の複数のパッケージに対して、その後端から圧力をかけるようにするための手段を含むことを特徴とする請求項１乃至８のいずれかに記載の装置。
【請求項１２】
前記経路領域内の前記経路は、前記経路からパッケージを排出しやすくするように、前方に向かって傾斜しており、前記経路領域の前記後方下部に、パッケージを最終搬送地点まで搬送するためのディスペンシング・シュートを備えていることを特徴とする請求項１乃至１１のいずれかに記載の装置。
【請求項１３】
前記経路領域内の前記経路は、前記経路からパッケージを排出しやすくするように、前方に向かって傾斜しており、前記経路領域の前記後方下部に、前記第１の領域の棚用のアウトプット・シュートを備えていることを特徴とする請求項１乃至１１のいずれかに記載の装置。
【請求項１４】
前記アウトプット・シュートは、パッケージを前記経路領域の前記搬送手段の上に搬送するように構成されることを特徴とする請求項１３に記載の装置。
【請求項１５】
前記第１の領域の棚用に使用し得る複数の出口を備えることを特徴とする請求項１乃至１４のいずれかに記載の装置。
【請求項１６】
前記保管及び取り出しデバイスと、前記各経路又はその経路のグループとの間で通信を可能にするように構成された通信手段を備えることを特徴とする請求項１乃至１５のいずれかに記載の装置。
【請求項１７】
前記装置を手動で操作する利用者が見てわかるように、前記経路領域内の前記各経路が表示手段を備えることを特徴とする請求項１乃至１６のいずれかに記載の装置。
【請求項１８】
前記各経路は、所定の注文を満たすべく、パッケージを取出す必要のある前記各経路を点灯するように構成されたライトを備えることを特徴とする請求項１７に記載の装置。
【請求項１９】
前記経路領域内の前記各経路は、適切な命令を受信すると、パッケージを前記経路の前部より自動的に払い出すように構成されることを特徴とする請求項１乃至１８のいずれかに記載の装置。
【請求項２０】
前記各経路は、手動排出を可能にするような手段がさらに備えられることを特徴とする請求項４１に記載の装置。
【請求項２１】
前記各経路は、その後方から、前記パッケージの手動取り出しを可能にするような手段を備えることを特徴とする請求項１９又は２０に記載の装置。
【請求項２２】
前記経路領域内の前記経路の少なくとも一部は、少なくとも１つの寸法が可変であり、前記経路を自動的に変化させるための手段を備えることを特徴とする請求項１乃至２１のいずれかに記載の装置。
【請求項２３】
複数のパッケージを保管及び払い出すための方法であって、
複数の棚を含む第１の領域にパッケージを保管する過程と、
複数の経路を含む第２の領域にパッケージを保管する過程と、
保管及び把持デバイスで前記第１の領域における前記棚を満たし、前記棚からパッケージを取り出す過程と、
別の搬送手段を用いて前記第２の領域における前記経路からパッケージを取り出し、かつ前記経路から排出されたパッケージを移動させる過程とを含むことを特徴とする方法。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
好ましくない左室リモデリングを逆転するための薬学的処方物であって、治療有効量のラノラジンおよび少なくとも１種の治療有効量の併用リモデリング物質を含む、処方物。
【請求項２】
請求項１に記載の処方物であって、前記併用リモデリング物質が、ＡＣＥインヒビター、ＡＲＢ、またはβ遮断薬を含む、処方物。
【請求項３】
請求項２に記載の処方物であって、前記併用リモデリング物質が、ＡＣＥインヒビターを含む、処方物。
【請求項４】
請求項３に記載の処方物であって、前記ＡＣＥインヒビターが、ベナゼプリル、カプトプリル、シラザプリル、エナラプリル、フォシノプリル、イミダプリル、リシノプリル、ペリンドプリル、キナプリル、ラミプリル、テモカプリル、およびトランドラプリルからなる群から選択される、処方物。
【請求項５】
請求項２に記載の処方物であって、前記併用リモデリング物質が、ＡＲＢを含む、処方物。
【請求項６】
請求項５に記載の処方物であって、前記ＡＲＢが、カンデサルタン、シレキセチル、エプロサルタン、イルベサルタン、ロサルタン、オルメサルタン、メドキソミル、テルミサルタン、バルサルタン、ゾラサルタン、およびタソサルタンからなる群から選択される、処方物。
【請求項７】
請求項２に記載の処方物であって、前記併用リモデリング物質が、β遮断薬を含む、処方物。
【請求項８】
請求項７に記載の処方物であって、前記β遮断薬が、アセブトロール、アテノロール、ベタキソロール、ビソプロロール、カルテオロール、ラベタロール、メトプロロール、ナドロール、オクスプレノロール、ペンブトロール、ピンドロール、プロプラノロール、ソタロール、チモロール、エスモロール、ソタロール、カルベジロール、メドロキサロール、ブシンドロール、レボブノロール、メチプラノロール、セリプロロール、およびプロパフェノンからなる群から選択される、処方物。
【請求項９】
請求項２に記載の処方物であって、前記左室リモデリングが、鬱血性心不全（ＣＨＦ）および／または慢性心不全の結果である、処方物。
【請求項１０】
請求項１に記載の処方物であって、前記ラノラジンと前記併用リモデリング物質とが、別個の投薬形態として投与されることを特徴とする、処方物。
【請求項１１】
請求項１に記載の処方物であって、前記ラノラジンと前記併用リモデリング物質とが、単一の投薬形態として投与されることを特徴とする、処方物。
【請求項１２】
治療有効量のラノラジン、少なくとも１種の治療有効量の併用リモデリング物質、および少なくとも１種の薬学的に受容可能なキャリアを含む、薬学的処方物。
【請求項１３】
請求項１２に記載の処方物であって、前記併用リモデリング物質が、ＡＣＥインヒビター、ＡＲＢ、またはβ遮断薬を含む、処方物。
【請求項１４】
請求項１３に記載の処方物であって、前記併用リモデリング物質が、ＡＣＥインヒビターを含む、処方物。
【請求項１５】
請求項１４に記載の処方物であって、前記ＡＣＥインヒビターが、ベナゼプリル、カプトプリル、シラザプリル、エナラプリル、フォシノプリル、イミダプリル、リシノプリル、ペリンドプリル、キナプリル、ラミプリル、テモカプリル、およびトランドラプリルからなる群から選択される、処方物。
【請求項１６】
請求項１３に記載の処方物であって、前記併用リモデリング物質が、ＡＲＢを含む、処方物。
【請求項１７】
請求項１６に記載の処方物であって、前記ＡＲＢが、カンデサルタン、シレキセチル、エプロサルタン、イルベサルタン、ロサルタン、オルメサルタン、メドキソミル、テルミサルタン、バルサルタン、ゾラサルタン、およびタソサルタンからなる群から選択される、処方物。
【請求項１８】
請求項１３に記載の処方物であって、前記併用リモデリング物質が、β遮断薬を含む、処方物。
【請求項１９】
請求項１８に記載の処方物であって、前記β遮断薬が、アセブトロール、アテノロール、ベタキソロール、ビソプロロール、カルテオロール、ラベタロール、メトプロロール、ナドロール、オクスプレノロール、ペンブトロール、ピンドロール、プロプラノロール、ソタロール、チモロール、エスモロール、ソタロール、カルベジロール、メドロキサロール、ブシンドロール、レボブノロール、メチプラノロール、セリプロロール、およびプロパフェノンからなる群から選択される、処方物。
【請求項２０】
心不全を処置するための薬学的処方物であって、治療有効量のラノラジン、および少なくとも１種の治療有効量の併用リモデリング物質を含む、処方物。
【請求項２１】
請求項２０に記載の処方物であって、前記併用リモデリング物質が、ＡＣＥインヒビター、ＡＲＢ、またはβ遮断薬を含む、処方物。
【請求項２２】
請求項２１に記載の処方物であって、前記併用リモデリング物質が、ＡＣＥインヒビターを含む、処方物。
【請求項２３】
請求項２２に記載の処方物であって、前記ＡＣＥインヒビターが、ベナゼプリル、カプトプリル、シラザプリル、エナラプリル、フォシノプリル、イミダプリル、リシノプリル、ペリンドプリル、キナプリル、ラミプリル、テモカプリル、およびトランドラプリルからなる群から選択される、処方物。
【請求項２４】
請求項２１に記載の処方物であって、前記併用リモデリング物質が、ＡＲＢを含む、処方物。
【請求項２５】
請求項２４に記載の処方物であって、前記ＡＲＢが、カンデサルタン、シレキセチル、エプロサルタン、イルベサルタン、ロサルタン、オルメサルタン、メドキソミル、テルミサルタン、バルサルタン、ゾラサルタン、およびタソサルタンからなる群から選択される、処方物。
【請求項２６】
請求項２１に記載の処方物であって、前記併用リモデリング物質が、β遮断薬を含む、処方物。
【請求項２７】
請求項２６に記載の処方物であって、前記β遮断薬が、アセブトロール、アテノロール、ベタキソロール、ビソプロロール、カルテオロール、ラベタロール、メトプロロール、ナドロール、オクスプレノロール、ペンブトロール、ピンドロール、プロプラノロール、ソタロール、チモロール、エスモロール、ソタロール、カルベジロール、メドロキサロール、ブシンドロール、レボブノロール、メチプラノロール、セリプロロール、およびプロパフェノンからなる群から選択される、処方物。
【請求項２８】
請求項２１に記載の処方物であって、前記心不全が、鬱血性心不全（ＣＨＦ）または慢性心不全である、処方物。
【請求項２９】
請求項２０に記載の処方物であって、前記ラノラジンと前記併用リモデリング物質とが、別個の投薬形態として投与されることを特徴とする、処方物。
【請求項３０】
請求項２０に記載の処方物であって、前記ラノラジンと前記併用リモデリング物質とが、単一の投薬形態として投与されることを特徴とする、処方物。
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
ｉ）薬剤として許容される担体と、
ｉｉ）スクテラリア（Ｓｃｕｔｅｌｌａｒｉａ）、グリキリザ（Ｇｌｙｃｙｒｒｈｉｚａ）、ジジフス（Ｚｉｚｉｐｈｕｓ）、及びパエオニア（Ｐａｅｏｎｉａ）とを含む薬草製剤と、
ｉｉｉ）ドキソルビシン、サリドマイド、カペシタビン、ゲムシタビン、及びオキサリプラチンからなる群から選択される１つ又はそれ以上の化学療法化合物を含む化学療法製剤と、
を含む組成物。
【請求項２】
前記化学療法剤が、５−ＦＵ及びＬＶをさらに含む、請求項１に記載の組成物。
【請求項３】
前記薬草製剤が、スクテラリア・バイカレンシス（Ｓｃｕｔｅｌｌａｒｉａ  ｂａｉｃａｌｅｎｓｉｓ）、グリキリザ・ウラレンシス（Ｇｌｙｃｙｒｒｈｉｚａ  ｕｒａｌｅｎｓｉｓ）、ジジフス・ユユバ（Ｚｉｚｉｐｈｕｓ  ｊｕｊｕｂａ）、及びパエオニア・ラクチフローラ（Ｐａｅｏｎｉａ  ｌａｃｔｉｆｌｏｒａ）からなる、請求項１又は２に記載の組成物。
【請求項４】
それを必要とする哺乳類を治療するための、治療有効量の請求項１〜３のいずれか１項に記載の組成物。
【請求項５】
哺乳類における化学療法化合物の副作用を緩和するための、請求項１〜３のいずれか１項に記載の組成物
【請求項６】
哺乳類における化学療法化合物の抗腫瘍活性を増強するための、請求項１〜３のいずれか１項に記載の組成物。
【請求項７】
化学療法を受ける哺乳類の生活の質を改善するための、請求項１〜３のいずれか１項に記載の組成物。
【請求項８】
腫瘍の増大を阻害するための、請求項１〜３のいずれか１項に記載の組成物。
【請求項９】
薬剤として許容される担体及び以下の薬草属、すなわち、スクテラリア（Ｓｃｕｔｅｌｌａｒｉａ）、グリキリザ（Ｇｌｙｃｙｒｒｈｉｚａ）、ジジフス（Ｚｉｚｉｐｈｕｓ）、及びパエオニア（Ｐａｅｏｎｉａ）の各々の植物種を含み、治療有効量を、それを必要とする哺乳類に投与することによって癌の治療用の１つ又はそれ以上の癌治療化合物の治療指数を増大させるための、前記１つ又はそれ以上の癌治療化合物が、ドキソルビシン、サリドマイド、カペシタビン、ゲムシタビン、及びオキサリプラチンからなる群から選択される組成物。
【請求項１０】
ｉ）薬剤として許容される担体と、ｉｉ）スクテラリア（Ｓｃｕｔｅｌｌａｒｉａ）、グリキリザ（Ｇｌｙｃｙｒｒｈｉｚａ）、ジジフス（Ｚｉｚｉｐｈｕｓ）、及びパエオニア（Ｐａｅｏｎｉａ）とを含む薬草製剤とを含む組成物と、
１つ又はそれ以上の化学療法化合物の治療有効量を投与して、それを必要とする哺乳類における疾患を治療するための、前記１つ又はそれ以上の化学治療化合物が、ドキソルビシン、サリドマイド、カペシタビン、ゲムシタビン、及びオキサリプラチンからなる群から選択される製剤。
【請求項１１】
前記組成物が、１つ又はそれ以上の化学療法化合物の投与前に投与される、請求項１０に記載の製剤。
【請求項１２】
前記組成物が、１つ又はそれ以上の化学療法化合物の投与後に投与される、請求項１０に記載の製剤。
【請求項１３】
前記組成物が、前記１つ又はそれ以上の化学療法化合物の投与と同時に投与される、請求項１０に記載の製剤。
【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
精製され単離された合成ヒトインターフェロンβタンパク質類似体であって、ここで、天然のインターフェロンβに従って番号づけをして２５位のアスパラギンは脱アミドされており、該タンパク質類似体は天然のヒトインターフェロンβの生物学的活性を表す、合成タンパク質類似体。
【請求項２】
請求項１に記載の合成タンパク質類似体であって、ここで、天然のインターフェロンβに従って番号づけをして１７位のシステインは欠失しているかまたは中性アミノ酸によって置換されている、合成タンパク質類似体。
【請求項３】
請求項２に記載の合成タンパク質類似体であって、ここで、前記システイン残基がセリン残基により置換された、合成タンパク質類似体。
【請求項４】
請求項３に記載の合成タンパク質類似体であって、ここで、前記アスパラギン残基が、アスパルテート、イソ−アスパルテートおよび環状イミドからなる群から選択される残基で置換された、合成タンパク質類似体。
【請求項５】
請求項４に記載の合成タンパク質類似体であって、ここで、該タンパク質類似体はグリコシル化されていない、合成タンパク質類似体。
【請求項６】
請求項５に記載の合成タンパク質類似体であって、ここで、該タンパク質類似体はＮ末端のメチオニンが欠失している、合成タンパク質類似体。
【請求項７】
請求項４に記載の合成タンパク質類似体であって、ここで、該タンパク質類似体はＩＦＮ−βｓｅｒ１７より高い生物学的活性を有する、合成タンパク質類似体。
【請求項８】
薬学的に受容可能なキャリア媒体と混合された、治療上有効な量の請求項４に記載のタンパク質類似体を含む、ＩＦＮ−βの活性を有する、治療用組成物。
【請求項９】
請求項８に記載の組成物であって、ここで、前記合成タンパク質類似体の少なくとも５０％が、天然のインターフェロンβに従って番号づけをして２５位において脱アミドされている、組成物。
【請求項１０】
請求項８に記載の組成物であって、ここで、前記合成タンパク質類似体の実質的に全てが、天然のインターフェロンβに従って番号づけをして２５位において脱アミドされている、組成物。
【請求項１１】
請求項８に記載の組成物であって、ここで、該組成物がＨＡを含まない、組成物。
【請求項１２】
脱アミドされたＩＦＮ−β類似体を作製する方法であって：
ＩＦＮ−βタンパク質を適切な条件下、約２５〜６０℃という中程度から高い温度でインキュベートする工程；
該脱アミドされたタンパク質類似体を精製および単離する工程
を包含する、方法。
【請求項１３】
請求項１２に記載の方法であって：
約４０℃という温度で約１４日間のインキュベーション
を包含する、方法。
【請求項１４】
請求項１３に記載の方法であって、さらに、ここで、前記インキュベーションが少なくとも４というｐＨで行われることを包含する、方法。
【請求項１５】
請求項１４に記載の方法であって：
７〜１４というｐＨでのインキュベーション
を包含する、方法。
【請求項１６】
請求項１５に記載の方法であって、ここで、前記インキュベーションがｐＨ８〜９で約１４日間である、方法。
【請求項１７】
患者を処置するための請求項８に記載の組成物であって、該組成物は患者に有効量で投与されることを特徴とする、組成物。
【請求項１８】
請求項１７に記載の組成物であって、ここで、前記処置は前記患者の細胞増殖を調節するためのものであり、前記有効量は、細胞増殖を調節する前記組成物量である、組成物。
【請求項１９】
請求項１７に記載の組成物であって、ここで、前記処置は前記患者のウイルス疾患のためのものであり、前記有効量は、ウイルス疾患を阻害する前記組成物量である、組成物。
【請求項２０】
請求項１７に記載の組成物であって、ここで、前記処置は前記患者におけるナチュラルキラー細胞の活性を刺激するためのものであり、前記有効量は、ナチュラルキラー細胞を刺激する前記組成物量である、組成物。
【請求項２１】
請求項１７に記載の組成物であって、ここで、前記処置は前記患者における多発性硬化症のためのものであり、前記有効量は、治療上有効な前記組成物量である、組成物。
【請求項２２】
請求項２１に記載の組成物であって、ここで、前記処置は多発性硬化症の再発の頻度を減少させることを包含する、組成物。
【請求項２３】
請求項２２に記載の組成物であって、ここで、前記多発性硬化症は再発寛解型である、組成物。
【請求項２４】
ペプチドマッピング方法であって：
還元剤を含む、ｐＨ８未満の緩衝された溶液中にて、タンパク質試料をインキュベートする工程；
該インキュベートされた試料を、エンドプロテイナーゼＣで消化する工程；および
消化物のペプチド断片を、液体クロマトグラフィーにより分離する工程
を包含する、方法。
【請求項２５】
請求項２４に記載の方法であって、ここで、前記還元剤はトリス−（２−カルボキシエチル）ホスフィン（ＴＣＥＰ）である、方法。
【請求項２６】
請求項２５に記載の方法であって、ここで、前記インキュベーションは約４のｐＨで行われる、方法。
【請求項２７】
請求項２６に記載の方法であって、ここで、前記液体クロマトグラフィーはＲＰ−ＨＰＬＣである、方法。
【請求項２８】
請求項２７に記載の方法であって、ここで、前記タンパク質試料は脱アミドされたＩＦＮ−βである、方法。
【手続補正書】
【提出日】平成20年10月23日(2008.10.23)
【手続補正１】
【補正対象書類名】明細書
【補正対象項目名】００１２
【補正方法】変更
【補正の内容】
【００１２】
発明の詳細な説明
定義
基および他の基、例えばハロ置換アルキルおよびアルコキシの構造要素としての“アルキル”は、直鎖または分枝鎖のどちらかであり得る。Ｃ１−４アルコキシには、メトキシ、エトキシなどが含まれる。ハロ置換アルキルには、トリフルオロメチル、ペンタフルオロエチルなどが含まれる。
【手続補正２】
【補正対象書類名】明細書
【補正対象項目名】００４３
【補正方法】変更
【補正の内容】
【００４３】
アベルソンチロシンキナーゼ（すなわち、Ａｂｌ、ｃ−Ａｂｌ）は、細胞周期の制御、遺伝毒性ストレスに対する細胞応答、およびインテグリンシグナル伝達を介する細胞環境についての情報の伝達に関与する。概して、Ａｂｌタンパク質は、様々な細胞外および細胞内起源からのシグナルを統合し、かつ細胞周期およびアポトーシスに関する決定に影響を与える細胞モジュールとして複雑な役割を果たすことが明らかである。アベルソンチロシンキナーゼには、脱制御されたチロシンキナーゼ活性を有するキメラ融合（癌タンパク質）ＢＣＲ−Ａｂｌまたはｖ−Ａｂｌのようなサブタイプ誘導体が含まれる。ＢＣＲ−Ａｂｌは、慢性骨髄性白血病（ＣＭＬ）の９５％および急性リンパ性白血病の１０％の病因において重要である。ＳＴＩ−５７１（グリベック）は、発癌性ＢＣＲ−Ａｂｌチロシンキナーゼの阻害剤であり、慢性骨髄性白血病の処置に用いられる。しかしながら、ＣＭＬの急性転化状態にある幾分かの患者は、ＢＣＲ−Ａｂｌキナーゼにおける変異のためにＳＴＩ−５７１に対して耐性である。２２個以上の変異がこれまでに報告されており、最も一般的には、Ｇ２５０Ｅ、Ｅ２５５Ｖ、Ｔ３１５Ｉ、Ｆ３１７ＬおよびＭ３５１Ｔである。
【手続補正３】
【補正対象書類名】明細書
【補正対象項目名】００４６
【補正方法】変更
【補正の内容】
【００４６】
本発明の化合物を、例えば小細胞肺癌において腫瘍を阻害する物質としてだけでなく、アテローム性動脈硬化症、血栓症、乾癬、強皮症および線維症のような非悪性増殖性疾患の処置のため、ならびに幹細胞の保護のため、例えば５−フルオロウラシルのような化学療法剤の血液毒作用に対処するための薬剤としておよび喘息に使用可能である。本発明の化合物を、とりわけＰＤＧＦ受容体キナーゼの阻害に応答する疾患の処置に使用することができる。
【手続補正４】
【補正対象書類名】明細書
【補正対象項目名】００６９
【補正方法】変更
【補正の内容】
【００６９】
ブルートンのチロシンキナーゼ（Ｂｔｋ）は、Ｂリンパ球分化に重要である。非受容体チロシンキナーゼのＢｔｋファミリーには、Ｂｔｋ／Ａｔｋ、Ｉｔｋ／Ｅｍｔ／Ｔｓｋ、Ｂｍｘ／Ｅｔｋ、およびＴｅｃが含まれる。Ｂｔｋファミリーキナーゼは、様々な細胞過程において中心的な、しかし、多様な調節的役割を果たす。それらは、細胞増殖、分化およびアポトーシスをもたらす細胞外刺激に応答してシグナル伝達に参加する。このキナーゼファミリーの異常な活性は、免疫不全症および様々な癌と関係する。
【手続補正５】
【補正対象書類名】明細書
【補正対象項目名】００７５
【補正方法】変更
【補正の内容】
【００７５】
本発明の化合物を、何らかの慣用的経路で、特に経腸的に、例えば経口で、例えば錠剤またはカプセル剤の形態で、または非経腸的に、例えば注射溶液または懸濁液の形態で、または局所的に、例えばローション、ジェル、軟膏またはクリームの形態で、または経鼻形態もしくは坐剤形態で、医薬組成物として投与することができる。遊離型または薬学的に許容される塩形態の本発明の化合物を、少なくとも１個の薬学的に許容される担体または希釈剤と合わせて含む医薬組成物を、混合、造粒またはコーティング法により常套法で製造することができる。例えば、経口組成物は、活性成分を、ａ）希釈剤、例えばラクトース、デキストロース、スクロース、マンニトール、ソルビトール、セルロースおよび／またはグリシン；ｂ）滑剤、例えばシリカ、タルカム、ステアリン酸、そのマグネシウム塩もしくはカルシウム塩、および／またはポリエチレングリコールと共に含む錠剤またはゼラチンカプセルであり得、錠剤についてはまた、ｃ）結合剤、例えばケイ酸アルミニウムマグネシウム、デンプン糊、ゼラチン、トラガカント、メチルセルロース、ナトリウムカルボキシメチルセルロースおよび／またはポリビニルピロリドン；要すれば、ｄ）崩壊剤、例えばデンプン、寒天、アルギン酸またはそのナトリウム塩、または発泡性混合物；および／またはｅ）吸収剤、着色剤、風味剤および甘味剤が含まれる。注射用組成物は、水性等張液または懸濁液であり得、そして坐剤を、脂肪エマルジョンまたは懸濁液から調製することができる。前記組成物は、滅菌され得、そして／または保存剤、安定化剤、湿潤剤または乳化剤のようなアジュバント、溶解促進剤（solution promoter）、浸透圧を調節するための塩、および／または緩衝液を含む。さらに、それらは、他の治療的に価値のある物質を含んでいてもよい。経皮投与に適する剤形には、有効量の本発明の化合物と担体が含まれる。担体には、宿主の皮膚を通過するのを補助するために、吸収性の薬理学的に許容される溶媒が含まれる。例えば、経皮デバイスは、裏打ち部材、化合物を所望により担体と共に含む貯蔵部、所望により長時間制御された予定速度で宿主の皮膚へ化合物を送達するため速度制御バリアおよび皮膚にそのデバイスを固定する手段を含む包帯形態である。マトリックス経皮製剤を、用いることもできる。例えば皮膚および眼への局所適用に適する製剤は、好ましくは、当技術分野で周知の水溶液、軟膏、クリームまたはジェルである。そのようなものには、溶解剤、安定化剤、等張性増強剤、緩衝液および保存剤が含まれ得る。
【手続補正６】
【補正対象書類名】明細書
【補正対象項目名】０１９４
【補正方法】変更
【補正の内容】
【０１９４】
細胞性ＢＣＲ−Ａｂｌ依存的増殖の阻害（ハイスループット法）
用いるマウス細胞株は、ＢＣＲ−Ａｂｌ ｃＤＮＡ（３２Ｄ−ｐ２１０）を用いて形質転換した３２Ｄ造血性前駆細胞株である。これらの細胞を、ペニシリン５０μｇ／ｍＬ、ストレプトマイシン５０μｇ／ｍＬおよびＬ−グルタミン２００ｍＭを添加したＲＰＭＩ／１０％ウシ胎仔血清（ＲＰＭＩ／ＦＣＳ）中で維持する。非形質転換３２Ｄ細胞を、同様に、ＩＬ３源として１５％のＷＥＨＩ馴らし培地を添加した培地で維持する。
【手続補正７】
【補正対象書類名】明細書
【補正対象項目名】０２０２
【補正方法】変更
【補正の内容】
【０２０２】
細胞性ＥＴＶ６−ＮＴＲＫ３依存的増殖の阻害（ハイスループット法）
用いるマウス細胞株は、ＥＴＶ６−ＮＴＲＫ３ ｃＤＮＡで形質転換したＢａ／Ｆ３造血性前駆細胞株（Ｂａ／Ｆ３ ＥＮ）である。これらの細胞を、ペニシリン５０μｇ／ｍＬ、ストレプトマイシン５０μｇ／ｍＬおよびＬ−グルタミン２００ｍＭを添加したＲＰＭＩ／１０％ウシ胎仔血清（ＲＰＭＩ／ＦＣＳ）中で維持する。非形質転換Ｂａ／Ｆ３細胞を、同様に、ＩＬ３源として１０％のＷＥＨＩ馴らし培地を添加した培地で維持する。
【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
（２Ｓ）−（４Ｅ）−Ｎ−メチル−５−（５−イソプロポキシ−３−ピリジニル）−４−ペンテン−２−アミン  ｐ−ヒドロキシベンゾアートと表記される化合物。
【請求項２】
請求項１に記載の化合物と、薬学的に許容される担体と、を含む薬学的組成物。
【手続補正書】
【提出日】平成20年11月7日(2008.11.7)
【手続補正１】
【補正対象書類名】特許請求の範囲
【補正対象項目名】請求項６
【補正方法】変更
【補正の内容】
【請求項６】
反応装置が連続して連結された３つの触媒床で形成されており、最初の２つの触媒床のそれぞれにプロパン及び酸素を含有する別のガス混合物が供給されそしてその際に供給される酸素の量が最初の２つの触媒床に供給される水素に比較して、酸素と水素とが反応して水蒸気を形成する反応に関して化学量論的に不足しており、そして第三の触媒床に、プロパン及び酸素を含有する別のガス混合物であってもよいしまたはこれを含有していてもよい酸素含有ガスを供給しそしてその際に供給される酸素の量が第三の触媒床に供給される水素に比較して、酸素と水素とが反応して水蒸気を形成する反応に関して化学量論量である、請求項１〜４のいずれか一つに記載の方法。
【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
アレルゲンを含んでなるアレルギーワクチンを対象の粘膜表面に投与することによるアレルギーの予防治療における使用のためのアレルゲンであって、
ａ）治療すべき対象が該アレルゲンに特異的なIgE応答を示すように感作されており、
ｂ）治療すべき対象に該アレルゲンと関連するアレルギーの臨床症状がなく、
ｃ）予防治療が該アレルゲンと関連するアレルギーのその後の臨床症状を予防するか又は減少させることを目的とする、アレルゲン。
【請求項２】
対象が前記アレルゲンに特異的なTh2細胞応答を示すように感作されている、請求項１
に記載のアレルゲン。
【請求項３】
対象に鼻炎、結膜炎、鼻漏、鼻閉塞、洞炎、くしゃみ、アトピー性皮膚炎、痒み、なみだ目、水鼻、喘鳴及び皮膚刺激の臨床症状がない、請求項１又は２に記載のアレルゲン。
【請求項４】
対象が40歳未満、好ましくは30歳未満、より好ましくは20歳未満、最も好ましくは２〜10歳の間である、請求項１〜３のいずれか１項に記載のアレルゲン。
【請求項５】
吸入アレルゲン及び毒物アレルゲンからなる群より選択される、請求項１〜４のいずれか１項に記載のアレルゲン。
【請求項６】
木本花粉アレルゲン、イネ科草本花粉アレルゲン、チリダニアレルゲン、ハーブアレルゲン及び動物アレルゲンからなる群より選択される、請求項５に記載のアレルゲン。
【請求項７】
投与が消化器系の粘膜を介する経口投与、鼻投与、膣投与、舌下投与、眼投与、直腸投与、尿道投与、乳房内投与、肺投与、耳投与又は頬投与である、請求項１〜６のいずれか１項に記載のアレルゲン。
【請求項８】
投与が頬投与又は舌下投与である、請求項７に記載のアレルゲン。
【請求項９】
治療すべき対象が前記ワクチンのアレルゲン以外の１又はそれ以上のアレルゲンに関連するアレルギーの臨床症状を有する、請求項１〜８のいずれか１項に記載のアレルゲン。
【請求項１０】
活性物質としてアレルゲンを含んでなり、対象の粘膜表面に投与することによりアレルギーを予防治療するためのアレルギーワクチンであって、
ａ）治療すべき対象が該アレルゲンに特異的なIgE応答を示すように感作されており、
ｂ）治療すべき対象に該アレルゲンと関連するアレルギーの臨床症状がなく、
ｃ）予防治療が該アレルゲンと関連するアレルギーのその後の臨床症状を予防するか又は減少させることを目的とする、アレルギーワクチン。
【請求項１１】
対象が前記アレルゲンに特異的なTh2細胞応答を示すように感作されている、請求項１０に記載のアレルギーワクチン。
【請求項１２】
対象に鼻炎、結膜炎、鼻漏、鼻閉塞、洞炎、くしゃみ、アトピー性皮膚炎、痒み、なみだ目、水鼻、喘鳴及び皮膚刺激の臨床症状がない、請求項１０は１１に記載のアレルギーワクチン。
【請求項１３】
対象が40歳未満、好ましくは30歳未満、より好ましくは20歳未満、最も好ましくは２〜10歳の間である、請求項１０〜１２のいずれか１項に記載のアレルギーワクチン。
【請求項１４】
アレルゲンが吸入アレルゲン及び毒物アレルゲンからなる群より選択される、請求項１０〜１３のいずれか１項に記載のアレルギーワクチン。
【請求項１５】
アレルゲンが木本花粉アレルゲン、イネ科草本花粉アレルゲン、チリダニアレルゲン、ハーブアレルゲン及び動物アレルゲンからなる群より選択される、請求項１４に記載のアレルギーワクチン。
【請求項１６】
投与が消化器系の粘膜を介する経口投与、鼻投与、膣投与、舌下投与、眼投与、直腸投与、尿道投与、乳房内投与、肺投与、耳投与又は頬投与である、請求項１０〜１５のいずれか１項に記載のアレルギーワクチン。
【請求項１７】
投与が頬投与又は舌下投与である、請求項１６に記載のアレルギーワクチン。
【請求項１８】
治療すべき対象が前記ワクチンのアレルゲン以外の１又はそれ以上のアレルゲンに関連するアレルギーの臨床症状を有する、請求項１０〜１７のいずれか１項に記載のアレルギーワクチン。
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
袋（８，１１）を形成し、充填し、そして密封する機械（ＦＦＳ機械）であって、前記機械は、次の装置特徴、即ち、
・プラスチックチューブ（１５）の巻出し装置（１９）と、
・前記チューブをその主対称軸線に垂直に切断し、それにより管状片を得る横切断装置（１７）と、
・前記管状片の一端部に袋の底を形成する底形成手段（１３）と、
・結果的に得られた袋を前記機械内に通して運搬する運搬装置（４，１０，１８）と、
・製品（２４）を袋（８，１１）の中に詰め込む給送要素（２）を備えた充填ステーションと、
・前記給送要素の製品排出口と充填されるべき前記袋の前記底との間の距離を減少させる手段（３，４，５）と、
・前記充填済み袋を密封する密封手段とを有する機械において、制御装置を有し、前記制御装置は、
・情報を前記制御装置に伝える測定機器（２６）に連結され、前記情報は、前記袋（８）の充填レベルを求めるために用いられ、
・前記製品排出口と前記袋（８）の前記充填レベルとの間の距離を、前記製品中のミスト生成が最小限に抑えられるように物品固有目標値及び充填固有目標値が観察されるような仕方で調節する、機械。
【請求項２】
前記製品排出口（３１）と充填されるべき前記袋の前記底との間の距離を減少させる前記手段（３，４，５）は、前記充填ステーション内において前記袋（８，１１）をその上縁部（２５）が前記給送要素（２）の前記製品排出口（３１）の上方に位置するような仕方で持ち上げることができる袋持上げ装置（３，４，５）を含む、請求項１記載の機械。
【請求項３】
前記袋を充填しているときに前記袋持上げユニットを下降させるような仕方で前記袋持上げユニットを案内する制御装置を有する、請求項２記載の機械。
【請求項４】
前記袋を充填しているときに前記袋持上げユニット（３，４，５）が前記袋（８，１１）をゆっくりと下降させるような仕方で時間の関数として前記袋持上げユニット（３，４，５）を案内する制御装置を有する、請求項１〜３のうちいずれか一に記載の機械。
【請求項５】
前記製品排出口（３１）と充填されるべき前記袋の前記底との間の距離を減少させる手段（３，４，５）が、前記袋（８，１１）をその長さの半分だけ持ち上げる袋持上げユニット（３，４，５）を含む、請求項１〜４のうちいずれか一に記載の機械。
【請求項６】
前記製品排出口（３１）と充填されるべき前記袋の前記底との間の距離を減少させる手段（３，４，５）が、前記袋（８，１１）をその長さの２／３だけ持ち上げる袋持上げユニット（３，４，５）を含む、請求項１〜５のうちいずれか一に記載の機械。
【請求項７】
前記製品排出口（３１）と充填されるべき前記袋の前記底との間の距離を減少させる前記手段（３，４，５）は、前記袋を持ち上げる袋持上げユニット（３，４，５）を含み、前記袋持上げユニット（３，４，５）により、前記袋（８，１１）を、充填時に、前記製品（２４）の前記運搬装置に沿って垂直方向に動かすことができる、請求項１〜６のうちいずれか一に記載の機械。
【請求項８】
固定状態の給送要素（２）を有する、請求項１〜７のうちいずれか一に記載の機械。
【請求項９】
前記給送要素（２）は、落下管（２１）及びスクリューコンベヤ（７）のみを有する、請求項１〜８のうちいずれか一に記載の機械。
【請求項１０】
前記袋（８，１１）の底を充填作業の少なくとも一部の間支持する袋底支持装置（３２，３３，３４）を有する、請求項１〜９のうちいずれか一に記載の機械。
【請求項１１】
前記袋底支持装置（３２，３３，３４）は、垂直方向に動くことができる支持面を有する、請求項１〜１０のうちいずれか一に記載の機械。
【請求項１２】
前記袋底支持装置（３２，３３，３４）は、旋回させることができる支持領域を有する、請求項１〜１１のうちいずれか一に記載の機械。
【請求項１３】
少なくとも前記給送要素（２）の周りを部分的に把持し、前記給送要素（２）と前記袋（８，１１）の内壁との間に位置決め可能な連結部品（３）を有する、請求項１〜１２のうちいずれか一に記載の機械。
【請求項１４】
前記連結部品（３）を前記給送要素（２）に沿って動かすことができる、請求項１〜１３のうちいずれか一に記載の機械。
【請求項１５】
前記袋持上げユニット（３，４，５）及び（又は）前記袋底支持装置（３２，３３，３４）は、前記袋の重量を測定する手段を有する、請求項１〜１４のうちいずれか一に記載の機械。
【請求項１６】
前記袋持上げユニット（３，４，５）及び（又は）前記袋底支持装置（３２，３３，３４）及び（又は）前記給送管は、能動的振動発生手段に連結されている、請求項１〜１５のうちいずれか一に記載の機械。
【請求項１７】
袋（８，１１）を形成し、充填し、そして密封する方法であって、前記方法は、次の方法特徴、即ち、
・プラスチックチューブ（１５）を巻き出すステップと、
・前記チューブをその主対称軸線に垂直に横に切断し、その結果管状片を得るステップと、
・前記管状片の一端部のところに袋の底を形成するステップと、
・結果的に得られた袋を前記機械内に通して運搬するステップと、
・給送要素を介して前記袋（８，１１）を製品（２４）で充填するステップと、
・前記給送要素の製品排出口と充填されるべき前記袋の前記底との間の距離を減少させるステップと、
・前記充填済み袋を密封するステップとを有する方法において、
−情報を制御装置に伝えるステップを有し、前記情報は、前記袋（８）の充填レベルを求めるために用いられ、
−前記製品排出口と前記袋（８）の前記充填レベルとの間の前記距離を、前記袋（８，１１）の充填作業中、前記給送要素（２）の前記排出口（３１）が前記袋の充填レベルの下の目標レベルに常時位置するような仕方で調節するステップを有し、
−前記給送の終わりの前においても、前記製品排出口（３１）が少なくとも１度、前記充填レベルの上に位置するようにするステップを有する、方法。
【請求項１８】
前記制御装置は、前記袋の前記充填レベルをその瞬間重量から求める、請求項１７記載の方法。
【請求項１９】
前記制御装置は、前記袋の前記充填レベルを前記製品の容積流量から求める、請求項１７又は１８記載の方法。